(57)【要約】【課題】パウチの初期開封直後において、表裏のフィルム先端同士がくっついてしまうようなことがなく、表裏それぞれのフィルム先端縁を容易につまんで開口を形成することが可能であり、さらには、表裏のフィルム開口縁を一見して認識することが可能な易開封パウチを提供することを課題とする。【解決手段】少なくとも表裏２組の積層フィルムの外周縁をシールしてなるパウチにおいて、一方の前記積層フィルムの中間層に開封方向へと切り込みを形成するとともに、他方の前記積層フィルムの中間層に開封方向へと切り込みを形成し、かつ前記切り込みの形成位置が、前記一方の積層フィルムと前記他方の積層フィルムとで異なることを特徴とする、易開封パウチである。【選択図】図１
2008068889.tif 000002
【特許請求の範囲】
【請求項１】
少なくとも表裏２組の積層フィルムの外周縁をシールしてなるパウチにおいて、
一方の前記積層フィルムの中間層に開封方向へと切り込みを形成するとともに、他方の前記積層フィルムの中間層に開封方向へと切り込みを形成し、かつ前記切り込みの形成位置が、前記一方の積層フィルムと前記他方の積層フィルムとで異なることを特徴とする、易開封パウチ。
【請求項２】
表裏２組の前記積層フィルムに形成された前記切り込みの形成位置が、前記一方の積層フィルムと前記他方の積層フィルムとで異なるとともに、互いに略平行に形成されることを特徴とする、請求項１記載の易開封パウチ。
【請求項３】
表裏２組の前記積層フィルムに形成された前記切り込みの形成位置が、前記一方の積層フィルムと前記他方の積層フィルムとで異なるとともに、互いに交差して形成されることを特徴とする、請求項１記載の易開封パウチ。
【請求項４】
表裏２組の前記積層フィルムに形成された前記切り込みは、前記一方の積層フィルムと前記他方の積層フィルムとに、それぞれ複数形成されることを特徴とする、請求項１乃至３記載の易開封パウチ。
【請求項５】
表裏２組の前記積層フィルムに形成された前記切り込みの形成位置が、前記一方の積層フィルムと前記他方の積層フィルムとで異なるとともに、切り込み間の距離は０．１ｍｍ〜１．５ｍｍの範囲内であることを特徴とする、請求項１乃至４記載の易開封パウチ。
【発明の詳細な説明】
【技術分野】
【０００１】
本発明は、パウチの初期開封直後において、表裏のフィルム縁が互いにくっつくことなく、表裏のフィルムをつまんで容易に引き離して開口を形成可能な易開封パウチに関する。
【背景技術】
【０００２】
従来、主にレトルト食品や、詰め替え用の洗剤、或いは無菌包装食品、鮮度保持包装食品、医薬品等の内容物を密封包装した包装体（パウチ）が知られている。このようなパウチは、パウチの左右に形成されたノッチを開封起点として、パウチ上方のフィルム（切除片）を水平方向へと引き裂きつつ切除してパウチの初期開封を行なう構成である。
【０００３】
しかし、パウチを初期開封した直後、切り取られた部分の表裏のフィルム端縁は、互いに高さが揃った状態でくっついてしまい、表裏のフィルムを引き離して開口を形成するためには、表裏のフィルム端縁を指先で何度も擦り、フィルム端縁に僅かな隙間を形成した後、この隙間から指先で慎重にフィルムをつまみ、表裏のフィルムを引き離す必要があった。
【０００４】
特に、はさみ等を用いて切除片を切り取りパウチの初期開封を行った場合、表裏のフィルム端縁が鋭利に切り取られるため、表裏のフィルム端縁がさらにくっつきやすく、表裏のフィルムを引き離し開口を形成することが困難である。
【発明の開示】
【発明が解決しようとする課題】
【０００５】
そこで本発明は、このような課題を解決すべく、パウチの初期開封直後において、表裏のフィルム先端縁が互いにくっついてしまうようなことがなく、表裏それぞれのフィルム先端縁を容易につまんで引き離し開口を形成することを可能とし、さらには、表裏のフィルム開口縁を一見して認識することが可能な易開封パウチを提供することを課題とする。
【課題を解決するための手段】
【０００６】
上記課題を解決するため、本発明の請求項１記載の発明は、少なくとも表裏２組の積層フィルムの外周縁をシールしてなるパウチにおいて、一方の前記積層フィルムの中間層に開封方向へと切り込みを形成するとともに、他方の前記積層フィルムの中間層に開封方向へと切り込みを形成し、かつ前記切り込みの形成位置が、前記一方の積層フィルムと前記他方の積層フィルムとで異なることを特徴とする、易開封パウチである。
【０００７】
また、請求項２記載の発明は、表裏２組の前記積層フィルムに形成された前記切り込みの形成位置が、前記一方の積層フィルムと前記他方の積層フィルムとで異なるとともに、互いに略平行に形成されることを特徴とする、易開封パウチである。
【０００８】
また、請求項３記載の発明は、表裏２組の前記積層フィルムに形成された前記切り込みの形成位置が、前記一方の積層フィルムと前記他方の積層フィルムとで異なるとともに、互いに交差して形成されることを特徴とする、易開封パウチである。
【０００９】
また、請求項４記載の発明は、表裏２組の前記積層フィルムに形成された前記切り込みは、前記一方の積層フィルムと前記他方の積層フィルムとに、それぞれ複数形成されることを特徴とする、易開封パウチである。
【００１０】
また、請求項５記載の発明は、表裏２組の前記積層フィルムに形成された前記切り込みの形成位置が、前記一方の積層フィルムと前記他方の積層フィルムとで異なるとともに、切り込み間の距離は０．１ｍｍ〜１．５ｍｍの範囲内であることを特徴とする、易開封パウチである。
【発明の効果】
【００１１】
このように、本発明の請求項１記載の発明は、少なくとも表裏２組の積層フィルムの外周縁をシールしてなるパウチにおいて、一方の前記積層フィルムの中間層に開封方向へと切り込みを形成するとともに、他方の前記積層フィルムの中間層に開封方向へと切り込みを形成し、かつ前記切り込みの形成位置が、前記一方の積層フィルムと前記他方の積層フィルムとで異なることを特徴とするから、パウチの開封に伴い、表裏のフィルム端縁が段差部分を形成するため、表裏のフィルム先端縁が互いにくっついてしまうようなことがない。
よって、パウチの開封直後において、段差部分のフィルム端縁を、指先で容易につまみつつ、表裏のフィルムを引き離し開口を形成することが可能である。さらには、パウチ開封直後の、表裏のフィルム端縁が段差部分を形成するため、表裏のフィルム端縁を一見して認識することが可能である。
【００１２】
また、請求項２記載の発明は、表裏２組の前記積層フィルムに形成された前記切り込みの形成位置が、前記一方の積層フィルムと前記他方の積層フィルムとで異なるとともに、互いに略平行に形成されることを特徴とするから、パウチの開封に伴い、表裏のフィルム間に略平行な段差部分が形成される。
よって、表裏のフィルム先端縁が互いにくっついてしまうようなことがなく、段差部分に指を掛けて容易に表裏のフィルムを引き離すことが可能である。
【００１３】
また、請求項３記載の発明は、表裏２組の前記積層フィルムに形成された前記切り込みの形成位置が、前記一方の積層フィルムと前記他方の積層フィルムとで異なるとともに、互いに交差して形成されることを特徴とするから、パウチの開封に伴い、表裏のフィルム先端縁が交差してなる段差部分が生じるため、表裏のフィルム先端同士がくっついてしまうようなことがない。よって、表裏のフィルム先端縁が互いにくっついてしまうようなことがなく、段差部分に指を掛けて容易に表裏のフィルムを引き離すことが可能である。
【００１４】
また、請求項４記載の発明は、表裏２組の前記積層フィルムに形成された前記切り込みは、前記一方の積層フィルムと前記他方の積層フィルムとに、それぞれ複数形成されることを特徴とするから、パウチの切除片を開封方向に沿って容易に引き裂くことが可能であり、途中で引き裂きが逸れてしまうことを防ぐ効果がある。
【００１５】
また、請求項５記載の発明は、表裏２組の前記積層フィルムに形成された前記切り込みの形成位置が、前記一方の積層フィルムと前記他方の積層フィルムとで異なるとともに、切り込み間の距離は０．１ｍｍ〜１．５ｍｍの範囲内であることを特徴とするから、パウチの開封直後に形成される表裏フィルムの段差部分に指掛かりがよく、開口性が向上する効果がある。
【発明を実施するための最良の形態】
【００１６】
本発明のユニバーサルパウチ１０の一例としては、図１（ａ）に示すように、上下左右のフィルム外周をヒートシールしてなるパウチ１０の、左右のシール部分２にそれぞれ形成されたノッチ６を起点に、水平方向へとフィルムを切除することにより、図１（ｂ）に示すように、パウチ１０を初期開封する構成である。
【００１７】
特に、左右のノッチ６間に形成された、高さの異なる２つの切り込み７、８より、パウチの初期開封直後、切り込み７によるフィルム端縁７'と、切り込み８によるフィルム端縁８'との高さが異なる、段差部分Ｄを形成することが可能である。
【００１８】
よって、パウチ１０の初期開封後において、表裏のフィルム先端縁７'、８'が等しい高さで互いに揃った状態でくっついてしまうようなことがなく、表裏のフィルム先端縁７'、８'が段差部分Ｄを形成するため、図２に示すように、突出した側のフィルム先端縁８'を一方の手の指先でつまんで軽く外方へとねじると、表裏のフィルム間に隙間Ｓが形成されることとなる。よって、この隙間Ｓに他方の手の指先を挿入してフィルム先端縁７'を容易につまむことが可能であり、表裏のフィルム先端縁７'、８'をそれぞれ指先でつまみつつ引き離して、容易にパウチの開口を形成することが可能である。さらには、表裏のフィルムが形成する段差部分Ｄにより、表裏のフィルム端縁７'、８'を一見して認識することが可能である。
【００１９】
本発明の易開封パウチ１０（パウチ１０）は、詳しくは、図３（ａ）に示すように、パウチ１０の中央部分に、予め所定の方法により内容物が充填される未シール部分からなる収容部４を有し、該収容部４の外周部分に、それぞれ上シール部１、左右のシール部２、下シール部３のヒートシールが施され４方シールパウチ１０を形成している。このようなパウチ１０としては、四方シール形式のパウチ１０に限らず、スタンドパウチや、ガゼット袋やピロー袋など、フィルムの外周をシールしてなるパウチ１０であれば、パウチの種類や形状は限定されるものではない。
【００２０】
そして、前記左右のシール部２の上方には、前記収容部４を横切り水平方向へと切取る際の開封起点となるノッチ６が形成され、パウチ１０の初期開封時において、前記ノッチ６を起点として、前記上シール部１を含む上方のフィルム（切除片５）を、切除することにより、パウチ１０の初期開封を行うものである。
【００２１】
そして、左右の前記ノッチ６間の積層フィルムＦの中間層には、それぞれ異なる高さからなる２つの切り込み７、８が開封方向に沿って形成されている。これにより、ノッチ６部分から切り込み７、８に沿って積層フィルムＦ（フィルムＦ）が容易に引き裂かれるとともに、パウチ開封直後の、表裏のフィルム端縁７'、８'の高さがそれぞれ異なり段差部分Ｄを形成する。
【００２２】
特に、前記切り込み７、８は、図３（ｂ）側断面図に示すように、片側３層（表面層ａ、中間層ｂ、接着層ｃ）からなる、表裏２組の積層フィルムＦ、Ｆ'のそれぞれ中間層ｂに形成されている。よって、積層フィルムＦ、Ｆ'の表面層ａには切り込み７、８が形成されないので、積層フィルムＦ、Ｆ'の強度を低下させることなく、また積層フィルムＦ、Ｆ'のガスバリヤー性等を低下させることなく、開封性のみを向上させることが可能である。
【００２３】
このため、防湿性、ガスバリヤー性を必要とするパウチにも適しており、例えば、ＯＰＰ／ＤＬ／ＣＰＰの構成からなるパウチとした場合、スナック菓子等の軟包装に適しており、ＰＥＴ／ＤＬ／ＡＬ／ＤＬ／ＯＮ／ＤＬ／ＣＰＰの構成からなるパウチとした場合、レトルト食品用のレトルトパウチ、或いは詰め替え液体洗剤用のパウチとして好適に使用できる。また、上記構成において下線を付したフィルムに切り込み７、８を形成することが好ましい。
【００２４】
また、本発明の易開封パウチ１０の、前記表裏２組の積層フィルムＦ、Ｆ'にそれぞれ形成された高さの異なる切り込み７，８は、互いに略平行に形成することに限らず、例えば、図４（ａ）に示すように、互いに交差して形成しても良い。この場合、ノッチ６部分から切り込み７、８に沿って積層フィルムＦ（フィルムＦ）が容易に引き裂かれるとともに、図４（ｂ）に示すように、パウチ開封直後のフィルム端縁７'、８'の高さがそれぞれ異なるとともに、フィルム端縁７'、８'が交差した形状からなる段差部分Ｄを形成する。
【００２５】
よって、パウチ１０の初期開封直後において、表裏のフィルム先端縁がくっついてしまうようなことがなく、交差した段差部分Ｄを形成するため、この部分のフィルムを容易につまんで引き離し、開口を形成することが可能である。さらには、表裏のフィルムが交差した段差部分Ｄを形成することにより、表裏のフィルム端縁７'、８'を一見して認識することが可能である。
【００２６】
以上のように、本発明の易開封パウチは、一方の前記積層フィルムの中間層に開封方向へと切り込みを形成し、他方の前記積層フィルムの中間層に開封方向へと切り込みを形成するとともに、前記切り込みの形成位置が、一方の積層フィルムと他方の積層フィルムとでそれぞれ異なる簡単な構成により、パウチの開封時、表裏のフィルム間に段差が生じて、表裏のフィルム先端同士がくっついてしまうようなことがない。よって、パウチの初期開封後、表裏のフィルムを容易につまんで引き離すことが可能であり、さらには、パウチ開封後の、表裏のフィルム端を一見して認識できる効果がある。よって、パウチの開封操作をスムースかつ容易に行なうことができる易開封パウチを提供することが可能である。
【００２７】
前記切り込み７，８は、各積層フィルムの中間層に、複数形成してもよく、例えば、図５（ｂ）に示すように、一方の積層フィルムＦに切り込み７ａおよび切り込み７ｂの２本の切り込み７ａ、７ｂを形成し、他方の積層フィルムＦに切り込み８ａおよび切り込み８ｂの２本の切り込み８ａ、８ｂを形成してもよい。また、図５（ｄ）に示すように、複数の切り込み７ａ、７ｂおよび８ａ、８ｂを形成するとともに、これらを互いに交差させてもよい。
【００２８】
上記例においては２本の切り込み７ａ、７ｂを形成した場合について説明したが、３本以上の複数列の切り込みを形成してもよい。切り込みを複数列設けることにより、開封方向に沿って容易に引き裂くことが可能であり、途中で引き裂きが逸れてしまうことを防ぐ効果がある。
【００２９】
前記表裏２組の積層フィルムＦ、Ｆ'に形成された前記切り込み７，８間の距離は、０．１ｍｍ〜３．０ｍｍが好ましく、より好ましくは０．５ｍｍ〜１．５ｍｍの距離を隔てて上下の切り込みを形成することが好ましく、パウチの開口形成時において、表裏のフィルム先端縁がずれて指掛かりがよくなり開口性が向上する効果がある。一方、前記切り込み７，８間の距離が４ｍｍを越えると、パウチ１０の初期開封時にフィルムを切除しにくくなる恐れがあるため好ましくない。
【００３０】
また、図５（ｃ）（ｄ）に示すように、ノッチは必ずしも形成する必要はなく、好適にパウチを開封することが可能であれば、ノッチを設ける方法のほか、レーザー光照射などによる切り込み７、８を設ける方法、或いは、パウチの積層フィルムの中間層などに一軸延伸フィルムを積層するとともに切り込み７、８を形成する方法（この場合、一軸延伸フィルムは、その延伸方向が袋の開封方向と一致するように用いる）など、切り込み７，８の形成方法は限定されるものではない。また、前記ノッチの形状としては、図５（ａ）に示すような、Ｖノッチや、図５（ｂ）に示すような、Ｕノッチなど、ノッチ形状は特に限定されず、切り取り方向に鋭角部分を有する形状であれば何でも使用することができる。
【００３１】
前記切り込み７，８は、直線状の切り込みに限らず、断続的に切り込みを形成したミシン目であってもよく、積層フィルムＦ、Ｆ'を開封方向に沿って好適に開封可能であれば、切り込み７，８の種類や形状は限定されるものではない。
【００３２】
本発明の易開封パウチ１０としては、スタンドパウチやピロータイプのパウチ１０であってもよく、フィルムの外周をシールしてなるパウチ１０であれば、パウチの形状は限定されるものではない。好適なスタンドパウチ１０の一例としては、図５（ａ）（ｂ）（ｃ）に示すように、表面と、背面と、折込み底面とからなる３ピースのスタンドパウチや、図５（ｄ）に示すように、表面と、背面と、折込み底面とを、一枚のシートで形成し、底部を斜めにトリミングした形状からなるスタンドパウチ１０などを挙げることができる。
【００３３】
また、本発明のパウチ１０に用いるフィルムは、主にプラスチックフィルムを主体とする積層フィルムが用いられ、例えば、液体を含む各種食品用パウチに用いられている従来公知の積層フィルムを用いることができ、特に限定されるものではない。積層フィルムの構成は、充填される流動食の種類や充填後の加圧加熱殺菌時に加えられる加熱条件などによって適宜選定することができる。
【００３４】
前記積層フィルムＦ、Ｆ'の前記中間層ｂとしては、２軸延伸ナイロン、２軸延伸ポリエチレンテレフタレート、２軸延伸ポリプロピレン、エチレン−ビニルアルコール共重合体等のフィルムが使用できる。中間層ｂは上記のフィルムを１層で使用してもよいし、２層以上積層して使用してもよい。また、アルミニウム箔との積層体を形成してもよい。前記中間層ｂとして２層以上のフィルムを積層して使用する場合には、積層する層の内の強度のある層にのみ切り込み７を設けるか、２層ともに切り込み７を設けるようにしてもよい。
【００３５】
また、前記積層フィルムＦ、Ｆ'の前記表面層ａとしては、２軸延伸ポリプロピレン、２軸延伸ポリエチレンテレフタレート、２軸延伸ナイロン等の２軸延伸プラスチックフィルムないしはそれらのフィルムに塩化ビニリデン樹脂等のガスバリヤー性樹脂をコーテイングしたフィルムが使用できる。
【００３６】
また、前記積層フィルムＦ、Ｆ'の前記接着層ｃとしては、低・中・高密度ポリエチレン、線状低密度ポリエチレン、ポリプロピレン、エチレン−プロピレン共重合体、エチレン−酢酸ビニル共重合体等の熱接着性樹脂が使用できる。
【００３７】
前記積層フィルムＦ、Ｆ'の表面層ａ、中間層ｂ、接着層ｃをそれぞれ積層するには接着剤を使用して行うことができ、一例として、ウレタン系接着剤を使用してドライラミネーシヨンにより積層する方法、ないしはポリエチレン樹脂等の溶融押出ラミネーシヨンにより積層する方法で行うことが可能である。特に、前記ドライラミネーシヨンにより積層することにより引き裂き性が向上するため好ましい。
【００３８】
前記積層フィルムＦ、Ｆ'の積層構成の一例としては、
（１）２軸延伸ポリプロピレン（ＯＰＰ）／ドライラミネーシヨン（ＤＬ）／未延伸ポリプロピレン（ＣＰＰ）
（２） ２軸延伸ポリエチレンテレフタレート（ＰＥＴ）／押出ラミネーシヨン（ＥＣ）／ＣＰＰ
（３）ＰＥＴ／ＤＬ／アルミニウム箔（ＡＬ）／ＤＬ／２軸延伸ナイロン（ＯＮ）／ＣＰＰ
（４）ＰＥＴ／ＤＬ／ＡＬ／ＤＬ／ＯＮ／ＣＰＰ
（５）ＰＥＴ／ＤＬ／ＡＬ／ＤＬ／ＯＮ／線状低密度ポリエチレン（ＬＬＤＰＥ）
（６）ＰＥＴ／ＤＬ／ＡＬ／ＤＬ／ＰＥＴ／ＬＬＤＰＥ
（７）ＰＥＴ／ＤＬ／ＯＮ／ＤＬ／ＣＰＰ
（８）ＰＥＴ／ＤＬ／ＯＮ／ＤＬ／ＬＬＤＰＥ等が挙げられ、特に、下線のフィルムに切り込み７、８を設けるとより好ましい。
【図面の簡単な説明】
【００３９】
【図１】本発明の易開封パウチを示す図である。（ａ）パウチの初期開封前を示す図である。（ｂ）パウチの初期開封直後を示す図である。
【図２】本発明の易開封パウチを開封する様子を示す説明図である。
【図３】本発明の易開封パウチを示す図である。（ａ）パウチの正面図である。（ｂ）パウチのＸ−Ｘ断面を示す一部切断面図である。
【図４】本発明の易開封パウチの別の例を示す図である。（ａ）パウチの初期開封前を示す正面図である。（ｂ）パウチの初期開封直後を示す斜視図である。
【図５】（ａ）（ｂ）（ｃ）（ｄ）本発明の易開封パウチのさらに別の例を示す図である。
【符号の説明】
【００４０】
１  上シール部
２  左右のシール部
３  下シール部
４  収容部（未シール部分）
５  切除片
６  ノッチ
７  切り込み
７'  フィルム端縁
８  切り込み
８'  フィルム端縁
１０  易開封パウチ（パウチ）
Ｄ  段差部分
Ｆ、Ｆ'  積層フィルム
ａ  表面層
ｂ  中間層
ｃ  接着層
【図１】
2008068889.tif 000003
【図２】
2008068889.tif 000004
【図３】
2008068889.tif 000005
【図４】
2008068889.tif 000006
【図５】
2008068889.tif 000007